(57)【要約】【課題】暖房運転を停止させることがなく、更に除霜を短時間に行うことが可能な空気調和装置を提供する。【解決手段】筐体８５に、一対の室外熱交換器２０，２０と、送風機２０ａと、送風機２０ａを制御する室外側制御部と、圧縮機と、圧縮機を駆動するガスエンジンとを備え、ガスエンジンを冷却する冷却水回路に一対のラジエータ４３，４３が設けられた空気調和装置１０において、室外熱交換器２０に並列にラジエータ４３が配置され、室外熱交換器２０の除霜時に、送風機２０ａは、ラジエータ４３側から室外熱交換器２０側へ向かう方向（破線の矢印の方向）に送風するように室外側制御部によって制御される。【選択図】図３
2017040423.tif 000002
【特許請求の範囲】
【請求項１】
筐体に、室外熱交換器と、送風機と、前記送風機を制御する送風機制御部と、圧縮機と、前記圧縮機を駆動するエンジンとを備え、前記エンジンを冷却する冷却水回路にラジエータが設けられた空気調和装置において、
前記室外熱交換器に並列に前記ラジエータが配置され、
前記室外熱交換器の除霜時に、前記送風機は、前記ラジエータ側から前記室外熱交換器側へ向かう方向に送風するように前記送風機制御部によって制御されることを特徴とする空気調和装置。
【請求項２】
前記室外熱交換器及び前記ラジエータの下方に凝縮水を受けるドレンパンが配置されていることを特徴とする請求項１に記載の空気調和装置。
【請求項３】
前記ラジエータの下端が、前記室外熱交換器の下端と同一高さに位置することを特徴とする請求項１又は２に記載の空気調和装置。
【請求項４】
前記ラジエータの上端が、前記室外熱交換器の上端よりも下側に位置することを特徴とする請求項３に記載の空気調和装置。
【請求項５】
前記室外熱交換器及び前記ラジエータが、それぞれ長辺部及び短辺部からなるＬ字板状に形成されていることを特徴とする請求項１乃至４のいずれか一項に記載の空気調和装置。
【発明の詳細な説明】
【技術分野】
【０００１】
本発明は、空気調和装置に関する。
【背景技術】
【０００２】
従来、室外熱交換器に着霜した際、除霜のために室外送風機を停止させるとともに、除霜終了後に、一定時間、室外送風機のファンを通常とは逆方向に回転させる空気調和装置が知られている（例えば、特許文献１参照）。
【先行技術文献】
【特許文献】
【０００３】
【特許文献１】特開昭６３−１８３３３５号公報
【発明の概要】
【発明が解決しようとする課題】
【０００４】
特許文献１では、室外熱交換器の除霜を行うときに、一旦室外送風機を停止させて暖房運転を中断する必要がある。また、このように室外送風機を停止させておくだけでは、除霜時間が長くなるため、暖房性能は低下する。
本発明の目的は、暖房運転を停止させることがなく、更に除霜を短時間に行うことが可能な空気調和装置を提供することにある。
【課題を解決するための手段】
【０００５】
上述した課題を解決するため、本発明は、筐体に、室外熱交換器と、送風機と、前記送風機を制御する送風機制御部と、圧縮機と、前記圧縮機を駆動するエンジンとを備え、前記エンジンを冷却する冷却水回路にラジエータが設けられた空気調和装置において、前記室外熱交換器に並列に前記ラジエータが配置され、前記室外熱交換器の除霜時に、前記送風機は、前記ラジエータ側から前記室外熱交換器側へ向かう方向に送風するように前記送風機制御部によって制御されることを特徴とする。
【０００６】
また、本発明は、前記室外熱交換器及び前記ラジエータの下方に凝縮水を受けるドレンパンが配置されていることを特徴とする。
また、本発明は、前記ラジエータの下端が、前記室外熱交換器の下端と同一高さに位置することを特徴とする。
【０００７】
また、本発明は、前記ラジエータの上端が、前記室外熱交換器の上端よりも下側に位置することを特徴とする。
また、本発明は、前記室外熱交換器及び前記ラジエータが、それぞれ長辺部及び短辺部からなるＬ字板状に形成されていることを特徴とする。
【発明の効果】
【０００８】
本発明の空気調和装置によれば、室外熱交換器に並列にラジエータが配置され、室外熱交換器の除霜時に、送風機は、ラジエータ側から室外熱交換器側へ向かう方向に送風するように送風機制御部によって制御されるので、ラジエータを循環する温水の熱で室外熱交換器を強制的に温めることができる。これにより、暖房運転を停止させることなしに、且つ短時間で室外熱交換器の除霜を行うことができ、暖房性能を向上させることができる。
【図面の簡単な説明】
【０００９】
【図１】本発明の実施の形態に係る空気調和装置の構成図である。
【図２】空気調和装置の機能的構成を示すブロック図である。
【図３】室外熱交換器及びラジエータを示す説明図であり、図３（Ａ）は室外熱交換器及びラジエータへの送風機による送風について説明する図、図３（Ｂ）は室外熱交換器及びラジエータの配置を示す斜視図である。
【図４】室外熱交換器の除霜の流れを示すフローチャートである。
【発明を実施するための形態】
【００１０】
以下、図面を参照して本発明の一実施形態について説明する。
図１は、本発明の実施の形態に係る空気調和装置の構成図である。
空気調和装置１０は、室外ユニット１１と、複数の室内ユニット１２・・・（・・・は複数を示す。以下同じ。）とを有している。室外ユニット１１と室内ユニット１２・・・とは、液管１３ａ及びガス管１３ｂからなるユニット間配管１３で接続され、これによって空調運転を行うための冷凍サイクル回路が構成される。室外ユニット１１には、ガスエンジン１５と、ガスエンジン１５の駆動力により冷媒を圧縮する圧縮機１６とが収容されている。詳細には、圧縮機１６は、並列に設けられる第１の圧縮機１６ｃ及び第２の圧縮機１６ｄを備える。ガスエンジン１５は、燃料調整弁（不図示）を経て供給されるガスなどの燃料と、スロットル弁（不図示）を経て供給される空気との混合気を燃焼させて駆動力を発生する。
【００１１】
圧縮機１６は、圧縮機１６の従動軸とガスエンジン１５の出力軸との間に掛け渡される駆動ベルト１７を介して、ガスエンジン１５に駆動される。
圧縮機１６の吐出管１６ａには、オイルセパレータ１８、四方弁１９、及び、室外熱交換器２０，２０が順に接続され、室外熱交換器２０，２０は、液管１３ａを介して、各室内ユニット１２・・・の室内熱交換器２１・・・の一端に接続される。各室内熱交換器２１・・・の一端側には、膨張弁２２・・・が設けられている。室外熱交換器２０，２０の熱交換は、送風機２０ａの送風によって促進される。
各室内熱交換器２１・・・の他端には、ガス管１３ｂを介して四方弁１９が接続され、四方弁１９には、圧縮機１６の吸込管１６ｂが接続されている。吸込管１６ｂにおいて圧縮機１６の近傍には、アキュムレータ２３が設けられる。各室内熱交換器２１・・・は、送風機（不図示）を備える。
【００１２】
液管１３ａには、電動弁２４、逆止弁２５、及び、アキュムレータ２３の流入側に繋がるリキッド管８１が設けられる。このリキッド管８１には圧縮機１６の冷却が必要な時に液冷媒を流すために開放されるリキッド弁８９が設けられている。
吐出管１６ａにおいて、圧縮機１６とオイルセパレータ１８との間には、圧力スイッチ２８と、吐出管１６ａの冷媒の圧力を検出する高圧側圧力センサ２９とが設けられる。圧力スイッチ２８は、冷媒の高圧異常を検出して圧縮機１６を停止させる機能を有する。
吸込管１６ｂにおいて、圧縮機１６とアキュムレータ２３との間には、吸込管１６ｂの冷媒の圧力を検出する低圧側圧力センサ３０が設けられる。また、吸込管１６ｂには、吸込管１６ｂを液管１３ａ側に接続する冷媒配管８２が接続され、この冷媒配管８２には、電動弁８０が設けられる。冷媒配管８２は、電動弁８０と吸込管１６ｂとの間の部分にプレート型熱交換器３１を備える。
【００１３】
室外ユニット１１は、吐出管１６ａと吸込管１６ｂとを繋ぐバイパス管３５を備える。詳細には、バイパス管３５の一端は、吐出管１６ａにおけるオイルセパレータ１８と四方弁１９との間の部分に接続され、バイパス管３５の他端は、吸込管１６ｂにおけるアキュムレータ２３と四方弁１９との間の部分に接続される。吐出管１６ａの冷媒の一部は、圧力差により、バイパス管３５を通って吸込管１６ｂに流れる。
バイパス管３５には、バイパス管３５の流路の面積を変更するバイパス弁３６が設けられる。バイパス弁３６は、室外ユニット１１の室外側制御部３７によって制御される電動弁であり、開状態から閉状態の間で、段階的或は無段階に、流路の面積を任意に調整可能である。
【００１４】
室外ユニット１１は、オイルセパレータ１８と吸込管１６ｂとを繋ぐオイル戻し管７０を備える。オイルセパレータ１８内に貯留される潤滑用のオイルは、吐出管１６ａ側と吸込管１６ｂとの圧力差により、オイル戻し管７０を通って吸込管１６ｂに流れる。
【００１５】
オイルセパレータ１８は、筒状であって内部に流入する冷媒からオイルを遠心力によって分離する遠心分離式である。オイルセパレータ１８は、上端及び下端が塞がれた円筒状の本体部１８ａを備える。オイルセパレータ１８の冷媒流入口１８ｂは、本体部１８ａの上部の筒状の内壁に沿って設けられ、冷媒は、冷媒流入口１８ｂに接続された吐出管１６ａから本体部１８ａ内に流入する。
オイルセパレータ１８のオイル流出口１８ｃは、本体部１８ａの底部に設けられる。オイルセパレータ１８の冷媒流出口１８ｄは、本体部１８ａにおける上部に設けられ、吐出管１６ａは、冷媒流出口１８ｄから四方弁１９へ延びる。
冷媒流入口１８ｂから本体部１８ａに流入した冷媒は、本体部１８ａの筒状の内周面に沿って旋回しながら下方に流れ、この際の遠心力によってオイルが冷媒から分離される。分離されたオイルは、本体部１８ａの下部に貯留され、ガス状態の冷媒は、冷媒流出口１８ｄから流出する。
【００１６】
オイル戻し管７０は、オイルセパレータ１８のオイル流出口１８ｃと吸込管１６ｂとを繋ぐ第１の戻し管７１と、第１の戻し管７１に対して並列に設けられる第２の戻し管７２とを備える。
第１の戻し管７１の一端は、オイル流出口１８ｃに接続され、第１の戻し管７１の他端は、吸込管１６ｂにおけるアキュムレータ２３の下流の部分に接続される。第１の戻し管７１は、キャピラリーチューブにより構成される減圧部７１ａを備える。
【００１７】
第２の戻し管７２は、減圧部７１ａをバイパスするように第１の戻し管７１に接続されており、第２の戻し管７２の一端は、第１の戻し管７１における減圧部７１ａの上流側に接続され、第２の戻し管７２の他端は、第１の戻し管７１における減圧部７１ａの下流側に接続される。
第２の戻し管７２は、キャピラリーチューブにより構成される減圧部７２ａと、減圧部７２ａの下流に設けられるオイル戻し弁７２ｂとを備える。オイル戻し弁７２ｂは、非通電時に開状態となり通電時に閉状態となる電磁弁であり、室外側制御部３７によって開閉を制御される。
【００１８】
四方弁１９が暖房運転用に切り替えられている場合、図１に破線の矢印で示すように、圧縮機１６から吐出管１６ａに吐出された冷媒は、オイルセパレータ１８、四方弁１９、ガス管１３ｂ、室内熱交換器２１・・・、液管１３ａ、室外熱交換器２０，２０、四方弁１９、プレート型熱交換器３１、アキュムレータ２３、及び、圧縮機１６の順に循環し、室内熱交換器２１・・・での冷媒の凝縮熱により室内が暖房される。
四方弁１９が冷房運転用に切り替えられている場合、図１に実線の矢印で示すように、圧縮機１６から吐出管１６ａに吐出された冷媒は、オイルセパレータ１８、四方弁１９、室外熱交換器２０，２０、液管１３ａ、室内熱交換器２１・・・、ガス管１３ｂ、四方弁１９、プレート型熱交換器３１、アキュムレータ２３、及び、圧縮機１６の順に循環し、室内熱交換器２１・・・での冷媒の蒸発熱により室内が冷房される。
各室内熱交換器２１・・・は並列接続されるため、室内熱交換器２１・・・へ個別に冷媒を供給することができ、室内熱交換器２１・・・を各々独立して運転することが可能である。
【００１９】
ガスエンジン１５は、冷却水回路４０を備える。
冷却水回路４０は、ガスエンジン１５から冷却水配管を介して順に接続される冷却水三方弁４１と、ラジエータ４３，４３と、冷却水ポンプ４４と、ガスエンジン１５の排気ガス熱交換器４５とを備え、冷却水ポンプ４４は、この回路内に冷却水を循環させる。冷却水回路の配管は、図１に太線で示されるとともに、冷却水の流れは、実線の矢印で示される。
ラジエータ４３，４３は、室外熱交換器２０，２０の内側に並列に配置されている。ラジエータ４３では、外気と冷却水との熱交換が行われる。
また、プレート型熱交換器３１では、電動弁８０の動作で、圧縮機１６に戻る冷媒が冷却水回路４０内を流れる冷却水によって加熱される。これにより、冷媒の低圧圧力が上昇し、暖房効率が向上する。
排気ガス熱交換器４５には、排気マフラー４６と、排気を排出する排気トップ４７とが順に接続されている。
【００２０】
冷却水回路４０は、ガスエンジン１５、冷却水三方弁４１、ラジエータ４３，４３、冷却水ポンプ４４、排気ガス熱交換器４５、及び、ガスエンジン１５の順に冷却水が流れる第１経路を形成可能である。
また、冷却水回路４０は、冷却水を、ガスエンジン１５、冷却水三方弁４１、及び、プレート型熱交換器３１、冷却水ポンプ４４、排気ガス熱交換器４５、及び、ガスエンジン１５の順に冷却水が流れる第２経路を形成可能である。
さらに、この冷却水回路４０には、冷却水を補充するリザーバタンク８３が接続されている。
【００２１】
図２は、空気調和装置１０の機能的構成を示すブロック図である。
室外ユニット１１の室外側制御部３７には、冷却水回路４０の各部を含むガスエンジン１５、圧縮機１６、四方弁１９、バイパス弁３６、及び、オイル戻し弁７２ｂが接続されている。また、室外側制御部３７には、高圧側圧力センサ２９、低圧側圧力センサ３０、圧力スイッチ２８、外気の温度を検出する外気温センサ４８、ガスエンジン１５のエンジン回転数を検出するエンジン回転数検出手段７３、室外熱交換器２０（図１参照）の近傍の液管１３ａ（図１参照）の温度を検出する液管温度センサ３９、及び、室外ユニット１１への運転の指示等が入力されるコントロールパネル４９、図示せぬタイマー等が接続されている。
室外側制御部３７には、室内ユニット１２・・・の制御を行う室内側制御部５０が接続されており、室外側制御部３７と室内側制御部５０とは相互に通信を行う。室内側制御部５０には、膨張弁２２・・・、室温を検出する室温センサ５１、及び、室内ユニット１２・・・への運転の指示が入力されるリモートコントローラ５２等が接続されている。
室外側制御部３７及び室内側制御部５０は、ＣＰＵ、記憶手段としてのＲＯＭ、ＲＡＭ及びＥＥＰＲＯＭ等を備える。
【００２２】
室外側制御部３７は、圧縮機１６が必要とするオイル量が少なくなったと判断される場合に、オイル戻し弁７２ｂを閉じて、オイルセパレータ１８から圧縮機１６に戻るオイル量を適正化する制御を行う。
また、室外側制御部３７は、液管温度センサ３９で検出された温度から室外熱交換器２０の温度を求め、この室外熱交換器２０の温度と、タイマーによって計測された経過時間とに基づいて、送風機２０ａ（詳しくは、送風機２０ａに備えるファンモータ９１（図５（Ａ）参照）の回転方向）を制御する。
【００２３】
図３は、室外熱交換器２０及びラジエータ４３を示す説明図である。図３（Ａ）は室外熱交換器２０及びラジエータ４３への送風機２０ａによる送風について説明する図、図３（Ｂ）は室外熱交換器２０及びラジエータ４３の配置を示す斜視図である。
図３（Ａ）に示すように、空気調和装置１０、詳しくは室外ユニット１１（図１参照）を構成する筐体８５の上部に熱交換器室８６が設けられ、熱交換器室８６の側面の一部を形成するように一対の室外熱交換器２０，２０が対向するように配置され、各室外熱交換器２０に対して熱交換器室８６の中央側にそれぞれラジエータ４３が配置されている。また、熱交換器室８６の天井部には送風機２０ａが配置され、熱交換器室８６の底部には、室外熱交換器２０，２０及びラジエータ４３，４３の下方に設けられたドレンパン８７が配置されている。
【００２４】
送風機２０ａは、筐体８５に固定されたファンモータ９１と、ファンモータ９１の回転軸９１ａに取付けられた室外ファン９２とから構成される。
ドレンパン８７は、室外熱交換器２０及びラジエータ４３の凝縮水を溜める容器であり、凝縮水を外部に排出するための複数のドレン孔８７ａが設けられている。図中の符号９４はドレンパン８７に溜まっている凝縮水である。
ドレンパン８７の下方の筐体８５には、図１に示した圧縮機１６、ガスエンジン１５等を収容する機械室が設けられている。
【００２５】
図３（Ｂ）に示すように、一対の室外熱交換器２０，２０は、熱交換器室８６（図３（Ａ）参照）内に対向するように配置され、室外熱交換器２０は、平板状の長辺部２０ｃと、平板状の短辺部２０ｄとから一体にＬ字状に形成されている。
また、一対の室外熱交換器２０，２０の間には、各室外熱交換器２０に沿って当接又は近接するようにラジエータ４３，４３が対向するように配置されている。
ラジエータ４３は、室外熱交換器２０の長辺部２０ｃに並列に配置された平板状の長辺部４３ｃと、室外熱交換器２０の短辺部２０ｄに並列に配置された平板状の短辺部４３ｄとから一体にＬ字状に形成されている。
【００２６】
長辺部４３ｃは、室外熱交換器２０の長辺部２０ｃに沿うとともに長辺部２０ｃに当接又は近接するように配置されている。短辺部４３ｄは、室外熱交換器２０の短辺部２０ｄに沿うとともに短辺部２０ｄに当接又は近接するように配置されている。
上記したように、室外熱交換器２０及びラジエータ４３をそれぞれＬ字板状に形成することで、室外熱交換器２０及びラジエータ４３の表面積を大きくすることができ、熱交換性能を高めることができる。
図３（Ａ），（Ｂ）に示すように、ラジエータ４３の下端４３ｅは、室外熱交換器２０の下端２０ｅと同一高さに位置し、また、ラジエータ４３の上端４３ｆは、室外熱交換器２０の上端２０ｆよりも低い位置にある。
上記したように、上端４３ｆを上端２０ｆよりも低くすることで、室外熱交換器２０の全体を通過する風量をより多くすることができ、室外熱交換器２０の熱交換性能をより一層高めることができる。
【００２７】
図３（Ａ）において、空気調和装置１０（図１参照）の通常の冷房運転及び暖房運転では、図中に実線の矢印で示すように、外気を、室外熱交換器２０，２０の外部（即ち、熱交換器室８６の外部）から取り入れて、室外熱交換器２０→ラジエータ４３の順に通過させ、熱交換器室８６の中央側から送風機２０ａの上方に排出するように、送風機２０ａのファンモータ９１を駆動させて室外ファン９２を回転させる。
このように送風機２０ａを作動させると、室外熱交換器２０のフィンの隙間を通じて、熱交換器室８６内に外気を取り込むことにより、取り込まれた外気と室外熱交換器２０内を流れる冷媒との間で熱交換される。また、熱交換器室８６内に取り込まれた外気とラジエータ４３内を流れる冷却水との間でも熱交換される。そして、熱交換された空気は、送風機２０ａによって空気調和装置１０の上方に向けて排出される。
【００２８】
例えば、暖房運転時には、室外熱交換器２０が蒸発器となり、室外熱交換器２０の温度が低下する。特に外気温が低い場合に室外熱交換器２０への着霜現象が生じることがある。室外熱交換器２０へ着霜すると、室外熱交換器２０のフィンの隙間に付着した霜によって室外熱交換器２０での通風が阻害され、外気と冷媒との熱交換が抑制されて暖房性能が低下する。
【００２９】
本実施形態では、上記した室外熱交換器２０への着霜の防止や除霜のため、図中に破線の矢印で示すように、通常運転時とは逆方向に送風するように、送風機２０ａのファンモータ９１を駆動させて室外ファン９２を回転させる。
これにより、外気は、送風機２０ａの上方から熱交換器室８６内に取り込まれ、ラジエータ４３→室外熱交換器２０の順に通過し、熱交換器室８６の外部へ排出される。この時、ラジエータ４３の内部を温水が循環してラジエータ４３の周囲の空気は温められているので、その温められた空気が室外熱交換器２０を通過したり、ラジエータ４３から熱放射・熱伝導したりすることによって、室外熱交換器２０が温められ、室外熱交換器２０の着霜や除霜が促進される。
【００３０】
また、ラジエータ４３の下端４３ｅと室外熱交換器２０の下端２０ｅとを同一高さにすることで、着霜しやすい室外熱交換器２０の下部をラジエータ４３で効果的に温めることができ、室外熱交換器２０の着霜や除霜をより一層促進させることができる。また、ラジエータ４３の下端４３ｅが凝縮水に近接する、又は浸漬するため、氷結した凝縮水の融解を促進させることもできる。
【００３１】
図４は、室外熱交換器２０の除霜の流れを示すフローチャートである。図４の処理は、所定の時間間隔で繰り返し実行される。（なお、説明中の符号については、図１、図２及び図３（Ａ）参照。）
まず、室外側制御部３７は、空気調和装置１０が暖房運転中か否か判別する（ステップＳ１）。
暖房運転中でない場合（ステップＳ１：Ｎｏ）、再度ステップＳ１を実行する。
暖房運転中である場合（ステップＳ１：Ｙｅｓ）、室外側制御部３７は、蒸発器である室外熱交換器２０が着霜しているか否か（即ち、除霜が必要か否か）を判別する（ステップＳ２）。
【００３２】
室外側制御部３７は、液管温度センサ３９の温度の検出結果に基づいて室外熱交換器２０の温度を求め、更に、暖房運転開始からの経過時間（暖房運転時間）をタイマーにより計測する。そして、室外側制御部３７は、室外熱交換器２０の温度を温度閾値と比較したり、暖房運転時間を所定時間と比較したりして室外熱交換器２０の着霜を判断する。あるいは、室外熱交換器２０の温度及び暖房運転時間から単位時間当たりの室外熱交換器２０の温度変化、即ち温度勾配を算出し、この温度勾配と温度勾配閾値とを比較して室外熱交換器２０の着霜を判断する。
着霜していない場合（ステップＳ２：Ｎｏ）、再度ステップＳ１を実行する。
着霜している場合（ステップＳ２：Ｙｅｓ）、室外側制御部３７は、送風機２０ａの室外ファン９２を通常運転時に対して逆回転させる（ステップＳ３）。この結果、ラジエータ４３→室外熱交換器２０の順に送風される。
【００３３】
次に、冷却水回路４０において、冷却水三方弁４１を操作して、冷却水をラジエータ４３に循環させるようにする、又はラジエータ４３への循環量を増加させる（ステップＳ４）。これにより、ラジエータ４３で温められた空気が室外熱交換器２０を温めるため、室外熱交換器２０の除霜が進行する。
その後、室外熱交換器２０（蒸発器）の除霜終了条件になったか否か判別する（ステップＳ５）。
詳しくは、室外側制御部３７は、上記した室外熱交換器２０の温度と、室外ファン９２の逆回転開始からの経過時間（逆回転時間）をタイマーにより計測する。そして、室外側制御部３７は、室外熱交換器２０の温度を温度閾値と比較したり、逆回転時間を所定時間と比較したりして室外熱交換器２０の除霜終了条件になったか否か判断する。あるいは、上記した室外熱交換器２０の温度の検出結果と、室外ファン９２の逆回転時間の計測結果とから単位時間当たりの室外熱交換器２０の温度変化、即ち温度勾配を算出し、この温度勾配と温度勾配閾値とを比較して室外熱交換器２０の除霜終了条件になったか否か判断する。
【００３４】
除霜終了条件となっていない場合（ステップＳ５：Ｎｏ）、再度ステップＳ３を実行する。
除霜終了条件となった場合（ステップＳ５：Ｙｅｓ）、室外側制御部３７は、送風機２０ａの室外ファン９２を通常運転時の回転方向（正回転）に戻す（ステップＳ６）。
そして、冷却水回路４０において、冷却水三方弁４１を操作して、冷却水をプレート型熱交換器３１に循環させるようにする（ステップＳ７）。このとき、電動弁８０を作動させることにより、暖房運転時の冷媒がプレート型熱交換器３１において加熱されるため、暖房効率を向上させることができる。
【００３５】
なお、上記ステップＳ１２では、室外熱交換器２０が着霜しているか否か判別したが、これに限らず、室外熱交換器２０が着霜しそうか否かを判別するようにしても良い。即ち、室外側制御部３７が、液管温度センサ３９の温度の検出結果や暖房運転時間をそれぞれ温度閾値、所定時間と比較する、あるいは、室外熱交換器２０の温度勾配と温度勾配閾値とを比較して室外熱交換器２０が着霜しそうか否かを判断し、着霜しそうな場合は、室外ファン９２を逆回転させる。このように、室外熱交換器２０が着霜する前に室外ファン９２を逆回転させることで、着霜を防止する、あるいは着霜時間を短くすることができ、暖房性能を長期に亘って向上させることができる。
【００３６】
一般に、室外熱交換器の着霜が懸念される運転状態においては、一時的に冷房運転を行って除霜を行う手段があるが、この除霜の際には暖房運転を停止することになる。
また、冷房運転を実施せずに、一時的に高圧ガスバイパスなどにより冷媒の蒸発圧力を上昇させる方法により着霜進行の抑制や除霜を行う手段もあるが、継続的に除霜効果を得ることが難しい状況が多い。
また、これらの除霜手段を行った場合、除霜後、ドレンパンに溜まった凝縮水が氷結する可能性がある。
【００３７】
これに対して、本実施形態では、ラジエータ４３にガスエンジン１５の排熱を冷却水を介して流した状態において、送風をラジエータ４３から室外熱交換器２０へ向かうように通常運転時とは逆にすることで、冷房運転を実施せずに（即ち、暖房運転を停止させることなしに）、強力な除霜と、ドレンパン８７内で氷結した凝縮水の融解とを同時に実施することができる。また、室外ファン９２を逆回転させることにより、室外熱交換器２０及びラジエータ４３で囲われた空間が正圧となるため、室外熱交換器２０及びラジエータ４３に付着した凝縮水を空気調和装置１０の外部へ排出させることができる。
【００３８】
上記の図１、図２及び図３（Ａ）に示したように、筐体８５に、一対の室外熱交換器２０，２０と、送風機２０ａと、送風機２０ａを制御する送風機制御部としての室外側制御部３７と、圧縮機１６と、圧縮機１６を駆動するエンジンとしてのガスエンジン１５とを備え、ガスエンジン１５を冷却する冷却水回路４０に一対のラジエータ４３，４３が設けられた空気調和装置１０において、室外熱交換器２０に並列にラジエータ４３が配置され、室外熱交換器２０の除霜時に、送風機２０ａは、ラジエータ４３側から室外熱交換器２０側へ向かう方向に送風するように室外側制御部３７によって制御される。
この構成によれば、ラジエータ４３，４３を循環する温水の熱で室外熱交換器２０，２０を強制的に温めることができ、暖房運転を停止させることなしに、且つ短時間で室外熱交換器２０，２０の除霜を行うことができる。この結果、暖房性能を向上させることができる。
【００３９】
また、図３（Ａ）に示したように、室外熱交換器２０及びラジエータ４３の下方に凝縮水９４を受けるドレンパン８７が配置されているので、ドレンパン８７内の氷結した凝縮水９４を速やかに融解させてドレンパン８７外へ排出させることができる。
また、ラジエータ４３の下端４３ｅが、室外熱交換器２０の下端２０ｅと同一高さに位置するので、着霜しやすい室外熱交換器２０の下部をラジエータ４３で効果的に除霜させることができる。
また、ラジエータ４３の上端４３ｆが、室外熱交換器２０の上端２０ｆよりも下側に位置するので、室外熱交換器２０の全体を通過する外気の流量を確保することができ、室外熱交換器２０による熱交換を促進させることができる。
【００４０】
また、図３（Ｂ）に示したように、室外熱交換器２０及びラジエータ４３が、それぞれ長辺部４３ｃ及び短辺部４３ｄからなるＬ字板状に形成されているので、限られた空間内で、室外熱交換器２０及びラジエータ４３の面積を確保することができ、熱交換性能及び除霜性能を向上させることができる。
【００４１】
上述した実施形態は、あくまでも本発明の一態様を示すものであり、本発明の主旨を逸脱しない範囲で任意に変形及び応用が可能である。
例えば、上記実施形態において、図３（Ｂ）に示したように、室外熱交換器２０及びラジエータ４３をＬ字板状に形成したが、これに限らず、平板状にしても良い。
【符号の説明】
【００４２】
１０  空気調和装置
１５  ガスエンジン（エンジン）
１６  圧縮機
２０  室外熱交換器
２０ａ  送風機
２０ｃ  室外熱交換器の長辺部
２０ｄ  室外熱交換器の短辺部
２０ｅ  室外熱交換器の下端
２０ｆ  室外熱交換器の上端
３７  室外側制御部（送風機制御部）
４０  冷却水回路
４３  ラジエータ
４３ｃ  長辺部
４３ｄ  短辺部
４３ｅ  下端
４３ｆ  上端
８５  筐体
８７  ドレンパン
【図１】
2017040423.tif 000003
【図２】
2017040423.tif 000004
【図３】
2017040423.tif 000005
【図４】
2017040423.tif 000006